(57)【要約】【課題】  風に吹かれても或いは傾斜して偏っても皺がよらず、外観の美しさと寿命を長く保持できる布地のベニス式すだれを提供する。【解決手段】  捲き筒１０を上端に横向きに設置し、その下に平行して横向きに複数の布地葉片３０を等間隔に設置し、各布地葉片３０の二長辺の適当な個所に孔を設け、少なくとも二本の固定ひも４０を更に設けてその上端を捲き筒１０に固定し、垂直に各布地葉片３０の二長辺の孔を貫通させて下の方に伸ばしてその最下端に一本の下支えに連結し、更に各固定ひも４０が相応する各布地葉片３０の長辺のすぐ下にひもわを加設し、各一本の支持桿５０を横向きにそれらのひもわに貫通させて各布地葉片３０の二長辺を支え、更に各布地葉片３０の二短辺３２はその二下角に長辺と平行し且つ内向きの開き口を持つポケットを加設し、各支持桿５０の両端にさしこませる布地のベニス式すだれである。【選択図】    図１
2006037402.tif 000002
【特許請求の範囲】
【請求項１】
上端に設置される横向きの捲き筒と、
前記捲き筒の下方に横方向に平行に一定の間隔をへだてて設置され、各二長辺および二短辺を持つ複数の布地葉片と、
上端が前記捲き筒に固定されて、垂直に前記各布地葉片の前記長辺を貫通して前記各布地葉片を定位させ、且つ前記各長辺の両側に各ひもわを形成する少なくとも二本の固定ひもと、
前記各布地葉片の前記長辺と平行であり且つ前記固定ひもの前記ひもわの中を貫通して、その相応する前記布地葉片を支える複数の支持桿と、
を備えることを特徴とする布地のベニス式すだれ。
【請求項２】
前記各布地葉片は更にその下に底葉片を加設し、前記底葉片は前記布地葉片と同材料で同じ寸法に作成し、その両長辺は前記布地葉片の前記長辺と連結されて袋を形成し、前記各支持桿は前記各袋の中に収納されていることを特徴とする請求項１記載の布地のベニス式すだれ。
【請求項３】
前記各布地葉片の前記短辺の下角に更に前記長辺と平行であり且つ内向き開き口を持つポケットを加設し、前記各支持桿の両端が各別に前記ポケットの中に差し込まれその位置を限定していることを特徴とする請求項１記載の布地のベニス式すだれ。
【請求項４】
前記各布地葉片の前記各固定ひもと相応する前記長辺の個所に各孔を設け、前記各固定ひもに貫通させ、前記各布地葉片の位置が安定されていることを特徴とする請求項１記載の布地のベニス式すだれ。
【請求項５】
前記各布地葉片の前記長辺に各別にすだれ片を連接していることを特徴とする請求項１記載の布地のベニス式すだれ。
【請求項６】
前記各布地葉片の下に更に底葉片を加設し、前記底葉片は前記布地葉片と同じ材料で同じ寸法に作り、その長辺を前記布地葉片の前記長辺と連結して袋を形成し、前記各支持桿を前記袋の中に収納し、更に前記各布地葉片の前記固定ひもと相応する前記長辺の個所に各孔を設け、前記各固定ひもに貫通させ、前記各布地葉片がその位置を安定されていることを特徴とする請求項１記載の布地のベニス式すだれ。
【請求項７】
前記各布地葉片の前記短片の下角の下に前記長辺と平行であり且つ内向きの開き口を持つポケットを加設し、相応する前記各支持桿の両端が前記ポケットの中に差し込まれ、且つ前記各布地葉片の前記固定ひもと相応する前記長辺の個所に各孔を設けて、前記各固定ひもに貫通させて、前記各布地葉片がその位置を安定させられていることを特徴とする請求項１記載の布地のベニス式すだれ。
【請求項８】
前記各布地葉片の下に更に底葉片を加設し、前記底葉片は前記布地葉片と同じ材料で同じ寸法に作り、その両長辺は前記布地葉片の前記長辺と連結して、袋を形成し、前記各支持桿を前記袋の中に収納し、更に前記各布地葉片の前記長辺に各すだれ片を連結していることを特徴とする請求項１記載の布地のベニス式すだれ。
【請求項９】
前記布地葉片の前記短辺の下角に前記長辺と平行し且つ内向きの開き口を持つポケットを加設し、相応する前記支持桿の両端が各別に前記ポケットの中に差し込まれ前記支持桿の位置を限定し、且つ前記各布地葉片の前記長辺に各すだれ片を連結していることを特徴とする請求項１記載の布地のベニス式すだれ。
【発明の詳細な説明】
【技術分野】
【０００１】
本発明は、布地のベニス式すだれに関するものである。
【背景技術】
【０００２】
特許文献１に示す従来の布地のベニス式すだれは、複数の布地葉片と、連結梯子ひも或いは連結バンドと、捲き筒と、下支えと少なくとも引きひもとで形成されている。捲き筒は窓框の上端に設置され、下支えは布地のベニス式すだれの下端に連結されている。複数の葉片は捲き筒と下支えとの間に平行に組み付けられ、各葉片の二長辺と下端とは連結梯子ひもに連結されて各布地葉片を定位させる。又引きひもは下支えと連結して下支えを引き上げ、又同時に各布地葉片を上方に相互に重ねる様に引き上げて畳む。更に各布地葉片はバンド状の中間布地を持ち、又更にこの中間布地の二長辺に位置する袋を設けて、この袋に支持桿をさしこんで置いて、布地葉片の二長辺を支持している。
【特許文献１】米国の特許番号６１０５６５７号
【発明の開示】
【発明が解決しようとする課題】
【０００３】
上述の米国の特許番号６１０５６５７号の布地のベニス式すだれはその連結梯子ひもが各布地葉片の二長辺と下端との位置を限定し支持しているがその二短辺を確実に支持していないので、布地葉片が傾斜して偏った時には軟らかい布地葉片は重力を受けて上から下の方に動き、遂に布地は皺を発生してその外観が悪くなる。そのほか、布地葉片が風に吹かれゆれ動くと、その二長辺が翻りやすく、遂には皺を形成し、又悪化すれば葉片自身が破損する恐れもある。又更に布地葉片の両側にある支持桿はただ袋の中に伸びているだけで、位置制限の効果がない。そしてある期間使用したあとはその伸びている方向にすべり出て外に露出する恐れがないとも限らず、そのために葉片の支持効果が悪くなると共に露出部分はその外観が悪くなる。
よって本発明の目的は、風に吹かれても或いは傾斜して偏っても皺がよらず、外観の美しさと寿命を長く保持できる布地のベニス式すだれを提供することである。
【課題を解決するための手段】
【０００４】
上記目的を解決するための本発明の布地のベニス式すだれは、捲き筒を上端に横向きに設置し、その下に平行して横向きに複数の布地葉片を等間隔に設置して、各布地葉片の二長辺の適当な個所に孔を設けて、少なくとも二本の固定ひもを更に設けてその上端を捲き筒に固定し、垂直に各布地葉片の二長辺の孔を貫通させて下の方に伸ばしてその最下端に一本の下支えに連結する。更に各固定ひもが相応する各布地葉片の長辺のすぐ下にひもわを加設して、各一本の支持桿を横向きにそれらのひもわに貫通させて各布地葉片の二長辺を支える。更に各布地葉片の二短辺はその二下角に長辺と平行し且つ内向きの開き口を持つポケットを加設して、各支持桿の両端にさしこませて安定して保持するようにする。
【０００５】
本発明の固定ひもは複数の布地葉片の位置を限定し、各支持桿は各布地葉片を平行に支える。又支持桿はひもわとポケットでその位置を保持されている。そして複数の布地葉片は固定ひもの張力で平坦に保持され、風に吹かれても或いは傾斜して偏っても皺がよらない。
【発明を実施するための最良の形態】
【０００６】
図１および図２に示す本発明の布地のベニス式すだれの第一実施例は、捲き筒１０と、下支え２０と、複数の布地葉片３０と四本の固定ひも４０と複数の支持桿５０とで構成される。
捲き筒１０はこのベニス式すだれの上端に位置して、自由に回転できる。
下支え２０はこのベニス式すだれの下端に位置する。
複数の布地葉片３０は図３および図４に示すように、相互に平行して等距離にへだてて捲き筒１０と下レール２０との間に設置される。各葉片３０は縦の二長辺３１および横の二短辺３２を持ち、更に各長辺３１に孔３１１を適当な個所に設けている。各葉片３０の両長辺３１には下に垂れるカーテン片３３を連結している。
【０００７】
固定ひも４０は各別に捲き筒１０から垂直に各葉片３０の両長辺３１の孔３１１を貫通し、その下端は下支え２０に固設している。更に各固定ひも４０は各葉片３０の各長辺３１の下にひもわ４１を形成している。
各支持桿５０は各葉片３０の各長辺３１の下表面に平行して設置され、且つ各固定ひも４０の各ひもわ４１の中を貫通し、その相応する葉片３０を支えている。
【０００８】
図２および５に示すように、本発明の第一実施例による各葉片３０は傾斜して偏ることができる。そしてベニスすだれの遮光率を変化させることができる。その操作をする時は、各葉片３０の両長辺３１を貫通している固定ひも４０をその中の一本を上に引き、別の一本を下に引けばよい。そしてひもわ４１は一側の支持桿５０を上に、別の一側の支持桿５０を下に移動させるので、各葉片３０の一側の長辺３１は上に、又別側の長辺３１は下に移動し、その引かれる距離によりある異なる角度の各葉片３０は傾斜して偏る。この様にして固定ひも４０を引く距離を加減すれば適当な傾斜角度が得られ、そしてこのベニス式すだれの遮光率を調整することができる。
【０００９】
更に図６は本発明の第二実施例の布地葉片３０を示し、第一実施例の各葉片３０の下方に更に布地の底葉片３４を加設する。この底葉片３４は葉片３０と同じ材料で同じ寸法に作り、その両長辺が葉片３０の両長辺３１と連接され、葉片３０と底葉片３４との間に袋３５を形成する。又更に底葉片３４の両長辺にも葉片３０の孔３１１と相応する孔３４１を設け、下支え２０の上に固定する。そのほか、各固定ひも４０の各ひもわ４１は袋３５の内部に設置される。
【００１０】
それ以外に図７は本発明の第三実施例の布地葉片３０を示し、各短辺３２の下角に長辺３１と平行であり且つ内向開き口を持つポケット３６を加設している。そして各支持桿５０が各固定ひも４０の各ひもわ４１を貫通して定位されてからその両端が相応する各ポケット３６の中にさしはまって、その位置が限定されて安定し、布地葉片３０を支える。
【００１１】
本実施例は、各布地葉片３０の両長辺３１は支持桿５０に支えられ、又支持桿５０は各別に固定ひも４０のひもわ４１にその位置が限定されているので、各布地葉片３０の両長辺３１は各固定ひも４０の張力で平坦な状態に維持できる。そのためにたとえ布地葉片３０が風に吹かれたり、傾斜して偏った場合でも、皺が発生したり或いは破損したりすることがなく、その外観の美しさと寿命を長く保持できる。
【００１２】
又、支持桿５０は固定ひも４０のひもわ４１で定位されてる上に、葉片３０の二短辺３２の下角のポケット３６の中にその両端がさしこまれていてその位置が限定されるので、穏定に定位されている。それで従来の布地のベニス式すだれの欠点、即ち支持桿の両端が袋の中からすべり出すことはなく、そのためにすだれの美観を失うことがない。
【図面の簡単な説明】
【００１３】
【図１】本発明の第一実施例による布地ベニス式すだれを示す外観斜視図である。
【図２】本発明の第一実施例による布地ベニス式すだれを示す側面図である。
【図３】本発明の第一実施例による布地ベニス式すだれを示す部分斜視図である。
【図４】本発明の第一実施例による布地ベニス式すだれを示す部分断面図である。
【図５】本発明の第一実施例による布地ベニス式すだれを傾斜させた時を示す側面図である。
【図６】本発明の第二実施例による布地ベニス式窓を示す部分側面図である。
【図７】本発明の第三実施例による布地ベニス式窓を示す部分斜視図である。
【符号の説明】
【００１４】
１０  捲き筒、２０  下支え、３０  葉片、３１  長辺、３１１  孔、３２  短辺、３３  カーテン片、３４  台布、３４１  孔、３５  袋、３６  開き口、４０  固定ひも、４１  ひもわ、５０  支持桿
【図１】
2006037402.tif 000003
【図２】
2006037402.tif 000004
【図３】
2006037402.tif 000005
【図４】
2006037402.tif 000006
【図５】
2006037402.tif 000007
【図６】
2006037402.tif 000008
【図７】
2006037402.tif 000009